(57)【要約】【課題】セキュリティ機能を維持しつつ、操作性を向上した携帯電子機器、携帯電子機器の制御方法及び制御プログラムを提供すること。【解決手段】画面Ｄ１において、機能制限部４５２は、機能設定操作キー１３（第１のキー）が操作された場合に、暗証情報（例えば、暗証番号やパスワード等）を要求する画面を表示部２１に表示して、当該機能設定操作キー１３に割り当てられる機能（例えば、各種設定や電話帳機能やメール機能等）の利用を制限する（画面Ｄ２）。【選択図】図５
2012109724.tif 000002
【特許請求の範囲】
【請求項１】
表示部と、
文字がそれぞれ割り当てられる複数のキーを含む操作部と、
前記表示部に待ち受け画面が表示された状態において、前記操作部において操作されたキーに割り当てられる文字が入力されると、当該文字を前記表示部に表示し、当該文字を利用可能な複数の機能に関する情報を前記表示部に表示する制御部と、を備え、
前記制御部は、前記表示部に表示された文字を利用可能な前記複数の機能のうち、選択された機能に基づいて、当該機能の利用を制限するか否かを決定する携帯電子機器。
【請求項２】
前記制御部は、
前記機能の利用を制限すると決定された場合に、前記操作部により暗証情報が入力されてはじめて当該機能の利用を可能とし、
前記機能の利用を制限しないと決定された場合に、前記操作部により前記暗証情報を入力することなく当該機能の利用を可能とする請求項１に記載の携帯電子機器。
【請求項３】
利用を制限すると決定された前記機能は、個人情報を用いる機能又は外部機器と通信を行う機能の少なくともいずれかを含む請求項１又は２に記載の携帯電子機器。
【請求項４】
予め所定の文字の変換候補が登録された辞書データを記憶する記憶部を備え、
前記制御部は、前記記憶部に記憶される前記辞書データのみを用いて前記操作部により入力された前記文字の変換候補を前記表示部に表示する請求項１から３のいずれか一項に記載の携帯電子機器。
【請求項５】
前記制御部は、前記機能の利用の制限が解除されて利用が可能となった後に、前記表示部に前記待ち受け画面が表示されると、前記機能の利用を再度制限する請求項１から４のいずれか一項に記載の携帯電子機器。
【請求項６】
前記複数の機能それぞれに対して制限を設定する設定部を更に備え、
前記制御部は、
前記設定部により制限が設定されている場合には、前記表示部に表示された文字を利用可能な前記複数の機能のうち、選択された機能に基づいて、当該機能の利用を制限するか否かを決定し、
前記設定部により制限が設定されていない場合には、前記表示部に表示された文字を利用可能な前記複数の機能のうち、選択された機能を制限せずに利用可能とさせる請求項１から５のいずれか一項に記載の携帯電子機器。
【請求項７】
表示部と、
文字が割り当てられず、機能が割り当てられる第１のキー及び文字が割り当てられる第２のキーを含む操作部と、
前記第１のキーが操作された場合に、当該第１のキーに割り当てられる機能の利用を制限し、前記第２のキーが操作された場合に、当該第２のキーに割り当てられる文字を入力し、前記表示部に表示させる制御部と、を備える携帯電子機器。
【請求項８】
前記制御部は、前記第１のキーが操作された場合に、前記操作部により暗証情報が入力されてはじめて当該第１のキーに割り当てられる機能の利用を可能とし、前記第２のキーが操作された場合に、前記操作部により前記暗証情報を入力することなく前記第２のキーに割り当てられる文字を入力して、前記表示部に表示させる請求項７に記載の携帯電子機器。
【請求項９】
前記制御部は、前記表示部に待ち受け画面が表示された状態において、前記第１のキーが操作されると、当該第１のキーに割り当てられる機能を利用させ、前記第２のキーが操作されると、当該第２のキーに割り当てられる文字を入力して、前記表示部に表示させる請求項７又は８に記載の携帯電子機器。
【請求項１０】
前記制御部は、前記第１のキーに割り当てられる前記機能の利用の制限が解除されて利用が可能となった後に、前記表示部に待ち受け画面が表示されると、当該機能の利用を再度制限する請求項７から９のいずれか一項に記載の携帯電子機器。
【請求項１１】
前記機能それぞれに対して制限を設定する設定部を更に備え、
前記制御部は、
前記設定部により制限が設定されている場合には、前記第１のキーが操作された場合に、当該第１のキーに割り当てられる機能の利用を制限し、前記第２のキーが操作された場合に、当該第２のキーに割り当てられる文字を入力し、前記表示部に表示させ、
前記設定部により制限が設定されていない場合には、前記第１のキーが操作されると、当該第１のキーに割り当てられる機能を利用させ、前記第２のキーが操作されると、当該第２のキーに割り当てられる文字を入力して、前記表示部に表示させる請求項７から１０のいずれか一項に記載の携帯電子機器。
【請求項１２】
表示部に待ち受け画面が表示された状態において、操作部において操作されたキーに割り当てられる文字が入力されると、当該文字を前記表示部に表示し、当該文字を利用可能な複数の機能に関する情報を前記表示部に表示するステップと、
前記表示部に表示された文字を利用可能な前記複数の機能のうち、選択された機能に基づいて、当該機能の利用を制限するか否かを決定するステップと、を備える携帯電子機器の制御方法。
【請求項１３】
携帯電子機器のコンピュータを機能させるための制御プログラムであって、
前記コンピュータに、
表示部に待ち受け画面が表示された状態において、操作部において操作されたキーに割り当てられる文字が入力されると、当該文字を前記表示部に表示し、当該文字を利用可能な複数の機能に関する情報を前記表示部に表示するステップと、
前記表示部に表示された文字を利用可能な前記複数の機能のうち、選択された機能に基づいて、当該機能の利用を制限するか否かを決定するステップと、を実行させるための制御プログラム。
【請求項１４】
文字が割り当てられず、機能が割り当てられる第１のキー及び文字が割り当てられる第２のキーを含む操作部を備える携帯電子機器の制御方法であって、
前記第１のキーが操作された場合に、当該第１のキーに割り当てられる機能の利用を制限するステップと、
前記第２のキーが操作された場合に、当該第２のキーに割り当てられる文字を入力し、表示部に表示させるステップと、を備える携帯電子機器の制御方法。
【請求項１５】
文字が割り当てられず、機能が割り当てられる第１のキー及び文字が割り当てられる第２のキーを含む操作部を備える携帯電子機器のコンピュータを機能させるための制御プログラムであって、
前記第１のキーが操作された場合に、当該第１のキーに割り当てられる機能の利用を制限するステップと、
前記第２のキーが操作された場合に、当該第２のキーに割り当てられる文字を入力し、表示部に表示させるステップと、を実行させるための制御プログラム。
【発明の詳細な説明】
【技術分野】
【０００１】
本発明は、携帯電子機器、携帯電子機器の制御方法及び制御プログラムに関する。
【背景技術】
【０００２】
従来、表示部と操作部とを有する電子機器は、表示部に待ち受け画面が表示されている状態で操作部を操作すると、操作部に割り当てられている文字を入力して、表示部に表示する。そして、携帯電子機器は、文字が入力された状態で、ユーザが所望の文字入力アプリケーションを選択すると、選択された文字入力アプリケーションに入力された文字を入力させた状態で起動させていた（例えば、特許文献１参照）。
【０００３】
一方、従来、操作部の操作による機能を制限とするセキュリティ機能を備え、操作部による暗証情報の入力によりセキュリティ機能を解除する携帯電子機器が提案されている（例えば、特許文献２参照）。
【先行技術文献】
【特許文献】
【０００４】
【特許文献１】特開２００７−２００２４３号公報
【特許文献２】特開平１１−００４２９１号公報
【発明の概要】
【発明が解決しようとする課題】
【０００５】
しかしながら、特許文献２に記載のセキュリティ機能が設定された携帯電子機器において、特許文献１に記載のように、文字が入力された状態で、ユーザが所望の文字入力アプリケーションを選択する。この場合、携帯電子機器は、選択された文字入力アプリケーションに入力された文字を入力させた状態で起動させようとしても、その都度暗証情報の入力が必要となるため、操作が煩わしかった。
【０００６】
本発明は、セキュリティ機能を維持しつつ、操作性を向上した携帯電子機器、携帯電子機器の制御方法及び制御プログラムを提供することを目的とする。
【課題を解決するための手段】
【０００７】
本発明に係る携帯電子機器は、上記課題を解決するために、表示部と、文字がそれぞれ割り当てられる複数のキーを含む操作部と、前記表示部に待ち受け画面が表示された状態において、前記操作部において操作されたキーに割り当てられる文字が入力されると、当該文字を前記表示部に表示し、当該文字を利用可能な複数の機能に関する情報を前記表示部に表示する制御部と、を備え、前記制御部は、前記表示部に表示された文字を利用可能な前記複数の機能のうち、選択された機能に基づいて、当該機能の利用を制限するか否かを決定する。
【０００８】
また、前記制御部は、前記機能の利用を制限すると決定された場合に、前記操作部により暗証情報が入力されてはじめて当該機能の利用を可能とし、前記機能の利用を制限しないと決定された場合に、前記操作部により前記暗証情報を入力することなく当該機能の利用を可能とすることが好ましい。
【０００９】
また、利用を制限すると決定された前記機能は、個人情報を用いる機能又は外部機器と通信を行う機能の少なくともいずれかを含むことが好ましい。
【００１０】
また、前記携帯電子機器は、予め所定の文字の変換候補が登録された辞書データを記憶する記憶部を備え、前記制御部は、前記記憶部に記憶される前記辞書データのみを用いて前記操作部により入力された前記文字の変換候補を前記表示部に表示することが好ましい。
【００１１】
また、前記制御部は、前記機能の利用の制限が解除されて利用が可能となった後に、前記表示部に前記待ち受け画面が表示されると、前記機能の利用を再度制限することが好ましい。
【００１２】
前記複数の機能それぞれに対して制限を設定する設定部を更に備え、前記制御部は、前記設定部により制限が設定されている場合には、前記表示部に表示された文字を利用可能な前記複数の機能のうち、選択された機能に基づいて、当該機能の利用を制限するか否かを決定し、前記設定部により制限が設定されていない場合には、前記表示部に表示された文字を利用可能な前記複数の機能のうち、選択された機能を制限せずに利用可能とさせることが好ましい。
【００１３】
本発明に係る携帯電子機器は、上記課題を解決するために、表示部と、文字が割り当てられず、機能が割り当てられる第１のキー及び文字が割り当てられる第２のキーを含む操作部と、前記第１のキーが操作された場合に、当該第１のキーに割り当てられる機能の利用を制限し、前記第２のキーが操作された場合に、当該第２のキーに割り当てられる文字を入力し、前記表示部に表示させる制御部と、を備える。
【００１４】
また、前記制御部は、前記第１のキーが操作された場合に、前記操作部により暗証情報が入力されてはじめて当該第１のキーに割り当てられる機能の利用を可能とし、前記第２のキーが操作された場合に、前記操作部により前記暗証情報を入力することなく前記第２のキーに割り当てられる文字を入力して、前記表示部に表示させることが好ましい。
【００１５】
また、前記制御部は、前記表示部に待ち受け画面が表示された状態において、前記第１のキーが操作されると、当該第１のキーに割り当てられる機能を利用させ、前記第２のキーが操作されると、当該第２のキーに割り当てられる文字を入力して、前記表示部に表示させることが好ましい。
【００１６】
また、前記制御部は、前記第１のキーに割り当てられる前記機能の利用の制限が解除されて利用が可能となった後に、前記表示部に前記待ち受け画面が表示されると、当該機能の利用を再度制限することが好ましい。
【００１７】
前記機能それぞれに対して制限を設定する設定部を更に備え、前記制御部は、前記設定部により制限が設定されている場合には、前記第１のキーが操作された場合に、当該第１のキーに割り当てられる機能の利用を制限し、前記第２のキーが操作された場合に、当該第２のキーに割り当てられる文字を入力し、前記表示部に表示させ、前記設定部により制限が設定されていない場合には、前記第１のキーが操作されると、当該第１のキーに割り当てられる機能を利用させ、前記第２のキーが操作されると、当該第２のキーに割り当てられる文字を入力して、前記表示部に表示させることが好ましい。
【００１８】
本発明に係る携帯電子機器の制御方法は、上記課題を解決するために、表示部に待ち受け画面が表示された状態において、操作部において操作されたキーに割り当てられる文字が入力されると、当該文字を前記表示部に表示し、当該文字を利用可能な複数の機能に関する情報を前記表示部に表示するステップと、前記表示部に表示された文字を利用可能な前記複数の機能のうち、選択された機能に基づいて、当該機能の利用を制限するか否かを決定するステップと、を備える。
【００１９】
本発明に係る制御プログラムは、上記課題を解決するために、携帯電子機器のコンピュータを機能させるための制御プログラムであって、前記コンピュータに、表示部に待ち受け画面が表示された状態において、操作部において操作されたキーに割り当てられる文字が入力されると、当該文字を前記表示部に表示し、当該文字を利用可能な複数の機能に関する情報を前記表示部に表示するステップと、前記表示部に表示された文字を利用可能な前記複数の機能のうち、選択された機能に基づいて、当該機能の利用を制限するか否かを決定するステップと、を実行させる。
【００２０】
本発明に係る携帯電子機器の制御方法は、上記課題を解決するために、文字が割り当てられず、機能が割り当てられる第１のキー及び文字が割り当てられる第２のキーを含む操作部を備える携帯電子機器の制御方法であって、前記第１のキーが操作された場合に、当該第１のキーに割り当てられる機能の利用を制限するステップと、前記第２のキーが操作された場合に、当該第２のキーに割り当てられる文字を入力し、表示部に表示させるステップと、を備える。
【００２１】
本発明に係る制御プログラムは、上記課題を解決するために、文字が割り当てられず、機能が割り当てられる第１のキー及び文字が割り当てられる第２のキーを含む操作部を備える携帯電子機器のコンピュータを機能させるための制御プログラムであって、前記第１のキーが操作された場合に、当該第１のキーに割り当てられる機能の利用を制限するステップと、前記第２のキーが操作された場合に、当該第２のキーに割り当てられる文字を入力し、表示部に表示させるステップと、を実行させる。
【発明の効果】
【００２２】
本発明によれば、セキュリティ機能を維持しつつ、操作性を向上した携帯電子機器、携帯電子機器の制御方法及び制御プログラムを提供することができる。
【図面の簡単な説明】
【００２３】
【図１】第１実施形態に係る携帯電話機の外観斜視図を示す。
【図２】第１実施形態に係る携帯電話機の機能を示す機能ブロック図である。
【図３】第１実施形態に係るキーアサインについて説明するための図である。
【図４】第１実施形態に係る制御部の機能を示す機能ブロック図である。
【図５】第１実施形態に係る表示部に表示される画面遷移例を示す図である。
【図６】第１実施形態に係る携帯電話機により機能の制限を行う処理について示すフローチャートである。
【図７】第２実施形態に係る表示部に表示される画面遷移例を示す図である。
【図８】第２実施形態に係る携帯電話機により機能の制限を行う処理について示すフローチャートである。
【発明を実施するための形態】
【００２４】
＜第１実施形態＞
図１は、本発明に係る携帯電子機器の第１実施形態である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でもよい。
【００２５】
携帯電話機１は、操作部側筐体２と、表示部側筐体３と、を備える。操作部側筐体２は、表面部１０に、操作部１１と、携帯電話機１の使用者が通話時に発した音声が入力されるマイク１２と、を備える。操作部１１は、各種設定や電話帳機能やメール機能等の各種機能を作動させるための機能設定操作キー１３と、電話番号の数字やメールの文字等を入力するための入力操作キー１４と、各種操作における決定やスクロール等を行う決定操作キー１５と、から構成されている。すなわち、機能設定操作キー１３は、文字が割り当てられず、機能が割り当てられ、入力操作キー１４は、文字及び数字（又は記号）が割り当てられる。なお、機能設定操作キー１３、入力操作キー１４及び決定操作キー１５は、表示部２１と一体に形成されたタッチパネル上に配置するように構成してもよい。
【００２６】
また、表示部側筐体３は、表面部２０に、各種情報を表示するための表示部２１と、通話の相手側の音声を出力するレシーバ２２と、を備える。
【００２７】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とを互いに開いた状態（開放状態）にしたり、操作部側筐体２と表示部側筐体３とを折り畳んだ状態（折畳み状態）にしたりできる。
【００２８】
図２は、携帯電話機１の機能を示す機能ブロック図である。携帯電話機１は、例えば、図２に示すように、操作部１１と、マイク１２と、メインアンテナ４０と、ＲＦ回路部４１と、表示制御部４２と、音声処理部４３と、メモリ４４と、制御部４５と、が操作部側筐体２に備えられる。携帯電話機１は、表示部２１と、レシーバ２２と、ドライバＩＣ２３と、が表示部側筐体３に備えられている。
【００２９】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であってもよい。また、メインアンテナ４０は、第１の使用周波数帯で外部装置と通信を行い、ＧＰＳ通信のための第２の使用周波数帯に対応できるアンテナを別途設けてもよい。
【００３０】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置（基地局）に送信する。また、その一方で、ＲＦ回路部４１は、メインアンテナ４０によって受信している信号の強度を制御部４５へ通知を行う。
【００３１】
表示制御部４２は、制御部４５の制御にしたがって、所定の画像処理を行い、処理後の画像データをドライバＩＣ２３に出力する。ドライバＩＣ２３は、表示制御部４２から供給された画像データをフレームメモリに蓄え、所定のタイミングで表示部２１に出力する。
【００３２】
音声処理部４３は、制御部４５の制御にしたがって、ＲＦ回路部４１から供給された信号に対して所定の音声処理を行い、処理後の信号をレシーバ２２又はスピーカ（図示せず）に出力する。レシーバ２２又はスピーカは、音声処理部４３から供給された信号を外部に出力する。
【００３３】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００３４】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００３５】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００３６】
具体的には、操作部１１は、いずれかのキーが押下されたときに、当該キーの位置情報（例えば、図３（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図３（ｂ）〜図３（ｄ）に示すように、複数のキーアサインテーブルが格納されている。なお、図３（ｂ）は、電話発信を行う際に利用されるテーブルであり、図３（ｃ）は、メモ帳アプリケーションやメールアプリケーションにおいて利用されるテーブルであり、図３（ｄ）は、テレビアプリケーションにおいてチャンネルを変更する際に利用されるテーブルである。
【００３７】
なお、記号の処理の実行とは、例えば、現在アクティブになっているアプリケーションがメモ帳の場合には、「１」や「あ」（又は「１」や「Ａ」）を表示部２１に表示することを意味している。また、機能の処理の実行とは、例えば、現在アクティブになっているアプリケーションがテレビの場合に、表示チャンネルを１ｃｈに設定することを意味している。
【００３８】
また、メモリ４４には、複数のキーアサインテーブルが格納されている。制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３９】
このように構成される携帯電話機１では、通信の待ち受け状態において、キー操作が行われた場合に、当該キーに割り当てられている複数の記号（例えば、数字や文字）それぞれを、例えば、別々の画面領域に並列的に表示し、所定のキー操作が行われた場合に一方の記号が表示されている画面を有効にする機能を有している。また、通信の待ち受け状態において、キー操作が行われた場合に、当該キーに割り当てられている複数の記号のうち、一の記号（例えば、文字）を表示してもよい。
【００４０】
また、携帯電話機１は、操作部１１により入力された文字の変換候補として漢字変換候補あるいは、次に続く予測変換候補を表示させると機能を有する。更に、携帯電話機１は、これらの漢字変換候補あるいは予測変換候補が選択されることにより、アプリケーション名又はアプリケーションに関する処理内容を示す文字列が入力された場合には、このアプリケーションを実行する機能を有している。
【００４１】
ここで、上述した機能を発揮するための構成について説明する。携帯電話機１の制御部４５は、図４に示すように、文字入力部５０と、アプリケーション実行部５１と、設定制御部５２と、を備える。
【００４２】
文字入力部５０は、ユーザによりキー操作が行われた場合に、文字及び数字を編集するアプリケーション（アプリケーションＡ）を起動して、当該キーに割り当てられている文字、あるいは文字及び数字をそれぞれ表示させるように、表示制御部４２を制御する。また、文字入力部５０は、入力された文字に対する漢字変換候補あるいは予測変換候補をメモリ４４から抽出し、表示制御部４２を介して表示部２１に表示させる。
【００４３】
なお、メモリ４４には、漢字変換候補や予測変換候補が記憶され、かつ、管理されている予測データベース（図示せず）が格納されている。文字入力部５０は、入力された文字に基づいて、この予測データベースを検索し、変換される漢字等の漢字変換候補や、後に続く文字の予測変換候補を抽出する。
【００４４】
更に、文字入力部５０は、携帯電話機１が有するアプリケーションの候補、又はアプリケーションにおける動作（処理）を、入力文字に基づいてメモリ４４から抽出し、漢字変換候補あるいは予測変換候補の中に表示させる。具体的には、文字入力部５０は、例えば、「か」と入力された場合に、「か」で始まるアプリケーションである「カメラ」を予測変換候補として表示させる。次に、「カメラ」が入力された場合や、「カメラ」が予測変換候補として選択された場合に、カメラアプリケーションにおける処理内容として、「起動する」や「使い方」といった処理名を予測変換候補として表示させる。
【００４５】
なお、メモリ４４には、携帯電話機１が有するアクティビティ（アプリケーション名及びアプリケーションにおける処理名、更には携帯電話機１の状態を設定する機能名等）が、アクティビティ候補データベースとして格納される。
【００４６】
そして、ユーザにより、これらのアプリケーション名や処理名が選択された場合には、アプリケーション実行部５１は、該当のアプリケーション（例えば、カメラ、メール、テレビ等）あるいは、アプリケーションの特定の動作（処理）を、実行する。
【００４７】
また、文字入力部５０は、携帯電話機１が有するアプリケーションの実行に限らず、携帯電話機１の状態（例えば、マナーモードや電波ＯＦＦモード等）を設定する機能名を、メモリ４４から抽出し、漢字変換候補あるいは予測変換候補として表示する。そして、設定制御部５２は、これらの機能名が選択されたことに応じて、携帯電話機１の状態設定を行う。
【００４８】
なお、第１実施形態のメモリ４４及び制御部４５は、一般的なコンピュータによって構成してもよい。一般的なコンピュータは、例えば、制御部４５として、中央処理装置（ＣＰＵ）を備え、メモリ４４と共に、ハードディスク（ＨＤＤ）等を備えてもよい。このような一般的なコンピュータにおいて、制御部４５は、携帯電話機１を統括的に制御し、各種プログラムをメモリ４４から適宜読み出して実行することにより、上述した携帯電話機１の各構成要素と協働し、本発明に係る各種機能を実現している。
【００４９】
次に、待ち受け画面が表示されている状態において、制御部４５により入力された文字を用いて、所定のアプリケーション（機能）を制限する処理について説明する。
【００５０】
なお、本明細書においては、「文字」とは、かな文字、カナ文字、数字、英字、記号等を含むものと定義する。また、「文字」は、一の文字だけでなく、文字列も含むものと定義する。また、待ち受け画面とは、着信を待ち受けている場合及びアプリケーションの起動を待ち受けている場合に表示される画面であり、初期画面ともいう。
【００５１】
また、図４に示すように、制御部４５は、設定部４５１と、機能制限部４５２とを更に備える。
【００５２】
設定部４５１は、アプリケーションＡにより待ち受け画面から利用可能な複数の機能（例えば、電子メールアプリケーション、電話アプリケーション、メモ帳アプリケーション、ユーザが任意に設定したアプリケーション等）の制限（例えば、正しい暗証情報が入力された場合に、利用を可能とする）を設定する。なお、設定部４５１は、ユーザによって複数の機能に対して制限を任意に設定可能である。
【００５３】
機能制限部４５２は、表示部２１に待ち受け画面が表示された状態において、操作部１１における操作されたキーに割り当てられる文字が入力されると、当該文字を表示部２１に表示し、当該文字を利用可能な複数の機能に関する情報を表示部２１に表示する。そして、機能制限部４５２は、表示部２１に表示された文字を利用可能な複数の機能のうち、選択された機能に基づいて、当該機能を制限するか否かを決定する。
【００５４】
図５は、第１実施形態に係る表示部２１に表示される画面遷移例を示す図である。図５の画面Ｄ１には、初期画面としての待ち受け画面が制御部４５により表示されている。
画面Ｄ１において、機能制限部４５２は、入力操作キー１４（いわゆるテンキー）が操作された場合に、アプリケーションＡを起動して、このアプリケーションＡにより、当該入力操作キー１４に割り当てられる文字「あかさたな」を表示部２１の領域２１１に表示（入力）させ、当該入力操作キー１４に割り当てられる数字「１２３４５」を表示部２１の領域２１３に表示（入力）させる（画面Ｄ２）。更に、機能制限部４５２は、領域２１１に入力された文字「あかさたな」の変換候補「あかさたな」及び「アカサタナ」を表示部２１の領域２１３に表示させる（画面Ｄ２）。
【００５５】
なお、機能制限部４５２は、画面Ｄ１が表示された状態において、入力操作キー１４の操作により文字「あかさたな」が入力されると、入力操作キー１４に割り当てられる文字「あかさたな」のみを入力させて表示部２１の領域２１１に表示させてもよい。
【００５６】
画面Ｄ２において、機能制限部４５２は、決定操作キー１５が操作（押下）されると、アプリケーションＡにより、数字「１２３４５」が表示されていた領域２１２の表示を解除して、領域２１１及び２１３のみを表示部２１に表示させる（画面Ｄ３）。
【００５７】
画面Ｄ３において、機能制限部４５２は、更に決定操作キー１５が操作（押下）されると、アプリケーションＡにより、領域２１１に表示されている文字の入力を確定すると共に、領域２１１に表示されている文字を利用可能な機能（アプリケーション）に関する情報の一覧を表示部２１に表示させる（画面Ｄ４）。
【００５８】
画面Ｄ４において、機能制限部４５２は、一覧が表示された機能の中から選択された機能の内容に基づいて、当該機能を制限するか否かを決定する。そして、機能制限部４５２は、利用を制限すると決定された機能が選択された場合には、暗証情報を要求する画面を表示部２１に表示して、選択された機能の利用を制限する（画面Ｄ５）。すなわち、機能制限部４５２は、機能の利用を制限すると決定された場合に、操作部１１により暗証情報が入力されてはじめて当該機能の利用を可能とする。
【００５９】
その後、機能制限部４５２は、操作部１１により正しい暗証情報が入力されると、設定部４５１により制限が設定された機能を起動する（画面Ｄ６）。
【００６０】
一方、画面Ｄ４において、機能制限部４５２は、利用を制限しないと決定された機能が選択された場合には、暗証情報を要求する画面を表示せずに、選択された機能を起動する（画面Ｄ６）。すなわち、機能制限部４５２は、機能の利用を制限しないと決定された場合に、操作部１１により暗証情報を入力することなく、当該機能の利用を可能とする。
【００６１】
ここで、利用を制限すると決定された機能は、個人情報を用いる機能又は外部機器と通信を行う機能の少なくともいずれかを含むことが好ましい。例えば、個人情報を用いる機能又は外部機器と通信を行う機能としては、アドレス帳アプリケーション、電子メールアプリケーション、通話アプリケーション、ブラウザアプリケーション等が挙げられる。
【００６２】
また、第１実施形態の携帯電話機１では、メモリ４４は、予め所定の文字の変換候補が登録された辞書データを記憶しており、機能制限部４５２は、画面Ｄ１において、メモリ４４に記憶されるデフォルトの辞書データのみを用いて、操作部１１により入力された文字の変換候補を、デフォルトの辞書データに記憶されている所定の順序で表示部２１の領域２１３に表示してもよい。ここで、デフォルトの辞書データとは、携帯電話機１の工場出荷時に予めメモリ４４に記憶されている辞書データであり、ユーザの使用状況に応じて変換候補が追加されたり、変換候補を表示する順序が変更されたりしていない辞書データをいう。
【００６３】
また、機能制限部４５２は、選択された機能の利用の制限が解除されて、利用が可能となった後に、表示部２１に待ち受け画面が表示されると（画面Ｄ１）、待ち受け画面からの複数の機能（アプリケーション）の利用の制限を再度設定してもよい。
【００６４】
このように第１実施形態の携帯電話機１によれば、機能制限部４５２は、表示部２１に待ち受け画面が表示された状態において、操作部１１における操作されたキーに割り当てられる文字が入力されると、当該文字を表示部２１に表示し、当該文字を利用可能な複数の機能に関する情報を表示部２１に表示する。そして、機能制限部４５２は、表示部２１に表示された文字を利用可能な複数の機能（アプリケーション）のうち、選択された機能に基づいて、当該機能を制限するか否かを決定する。
【００６５】
これにより、携帯電話機１は、表示部２１に待ち受け画面が表示された状態において、各機能のセキュリティレベルに応じて、機能を制限するか否かを決定するため、セキュリティ機能を維持しつつ、待ち受け画面からの操作性を向上させることができる。
【００６６】
また、機能制限部４５２は、機能の利用を制限すると決定された場合に、操作部１１により暗証情報が入力されてはじめて当該機能の利用を可能とし、機能の利用を制限しないと決定された場合に、操作部１１により暗証情報を入力することなく、当該機能の利用を可能とする。これにより、携帯電話機１は、機能の利用を制限しない機能については操作部１１により暗証情報を入力することなく、当該機能の利用が可能となるため、待ち受け画面からの操作性をより向上させることができる。
【００６７】
また、利用を制限すると決定された機能は、個人情報を用いる機能又は外部機器と通信を行う機能の少なくともいずれかを含むことが好ましい。これにより、携帯電話機１は、個人情報を用いる機能や外部機器との通信を行う機能の利用が制限されるため、セキュリティを維持することができる。
【００６８】
また、機能制限部４５２は、メモリ４４に記憶されるデフォルトの辞書データのみを用いて、操作部１１により入力された文字の変換候補を、デフォルトの辞書データに記憶されている所定の順序で領域２１３に表示してもよい。これにより、携帯電話機１は、操作部１１により暗証情報を入力することなく、当該機能の利用を可能となった場合であっても、メモリ４４に記憶されるデフォルトの辞書データのみが用いられるため、他の辞書データや変換候補（例えば、ユーザが任意にダウンロードした辞書データや、ユーザが設定した変換候補等）が利用されることがない。したがって、携帯電話機１は、暗証情報を入力することなく利用可能な機能であっても、辞書データのセキュリティを維持することができる。
【００６９】
また、機能制限部４５２は、選択された機能の利用の制限が解除されて、利用が可能となった後に、表示部２１に待ち受け画面が表示されると、待ち受け画面からの複数の機能の利用の制限を再度設定してもよい。これにより、携帯電話機１は、機能の利用後に、待ち受け画面が表示される度に自動的に機能の利用の制限を設定できるため、携帯電話機１の操作性をより向上させることができる。
【００７０】
また、機能制限部４５２は、設定部４５１により制限が設定されている場合には、表示部２１に表示された文字を利用可能な複数の機能のうち、選択された機能に基づいて、当該機能の利用を制限するか否かを決定する。一方、機能制限部４５２は、設定部４５１により制限が設定されていない場合には、表示部２１に表示された文字を利用可能な複数の機能のうち、選択された機能を制限せずに利用可能とさせる。これにより、携帯電話機１は、設定部４５１により制限が設定されている場合にのみ、機能の利用を制限するか否かを決定するため、携帯電話機１の操作性をより向上させることができる。
【００７１】
図６は、第１実施形態に係る携帯電話機１により機能の制限を行う処理について示すフローチャートである。
ステップＳ１において、設定部４５１は、待ち受け画面から利用可能な複数の機能の制限を設定する。
【００７２】
ステップＳ２において、機能制限部４５２は、表示部２１に待ち受け画面が表示された状態において、操作部１１による操作を受け付ける。
【００７３】
ステップＳ３において、機能制限部４５２は、上述した文字及び数字を編集するアプリケーションを起動して、入力操作キー１４に割り当てられる文字を領域２１１に表示させ、入力操作キー１４に割り当てられる数字を領域２１３に表示させる。更に、機能制限部４５２は、領域２１１に入力された文字の変換候補を領域２１３に表示させる。
【００７４】
ステップＳ４において、機能制限部４５２は、決定操作キー１５が操作されると、領域２１２の表示を解除して、領域２１１及び領域２１３のみを表示部２１に表示させる。
ステップＳ５において、機能制限部４５２は、更に決定操作キー１５が操作されると、領域２１１に表示されている文字の入力を確定すると共に、領域２１１に表示されている文字と関連する機能に関する情報の一覧を表示部２１に表示させる。
【００７５】
ステップＳ６において、機能制限部４５２は、一覧が表示された機能から選択された機能が、個人情報を用いる機能又は外部機器と通信を行う機能を含むか否かを判定する。個人情報を用いる機能又は外部機器と通信を行う機能を含む場合（ＹＥＳ）には、ステップＳ７へ進む。個人情報を用いる機能又は外部機器と通信を行う機能をいずれも含まない場合（ＮＯ）には、ステップＳ９へ進む。
【００７６】
ステップＳ７において、機能制限部４５２は、暗証情報を要求する画面を表示部２１に表示して、選択された機能の利用を制限する。
ステップＳ８において、機能制限部４５２は、操作部１１により正しい暗証情報が入力されたか否かを判定する。正しい暗証情報が入力された場合（ＹＥＳ）には、ステップＳ９へ進む。正しい暗証情報が入力されなかった場合（ＮＯ）には、ステップＳ７へ戻る。
【００７７】
ステップＳ９において、機能制限部４５２は、選択された機能を起動する。このように第１実施形態に係る携帯電話機１は、セキュリティ機能を維持しつつ、携帯電話機１の操作性を向上させることができる。
【００７８】
＜第２実施形態＞
次に、本発明の携帯電子機器に係る第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【００７９】
第２実施形態に係る携帯電話機１は、待ち受け画面において機能を制限する点が第１実施形態とは異なる。
【００８０】
設定部４５１は、機能設定操作キー１３に割り当てられる複数の機能（例えば、電子メールアプリケーション、電話アプリケーション、メモ帳アプリケーション、ユーザが任意に設定したアプリケーション等）の制限（例えば、正しい暗証情報が入力された場合に、利用を可能とする）を設定する。なお、設定部４５１は、ユーザによって複数の機能に対して制限を任意に設定可能である。
【００８１】
機能制限部４５２は、操作部１１の操作に応じて、設定部４５１により制限が設定された機能の利用を制限する。
【００８２】
図７は、第２実施形態に係る表示部２１に表示される画面遷移例を示す図である。図７の画面Ｄ１１には、初期画面としての待ち受け画面が制御部４５により表示されている。
画面Ｄ１１において、機能制限部４５２は、機能設定操作キー１３（第１のキー）が操作された場合に、暗証情報（例えば、暗証番号やパスワード等）を要求する画面を表示部２１に表示して、当該機能設定操作キー１３に割り当てられる機能（例えば、電子メールアプリケーション、電話アプリケーション、メモ帳アプリケーション、ユーザが任意に設定したアプリケーション等）の利用を制限する（画面Ｄ１２）。
【００８３】
一方、画面Ｄ１１において、機能制限部４５２は、入力操作キー１４（いわゆるテンキー、第２のキー）が操作された場合に、上述した文字及び数字を編集するアプリケーション（アプリケーションＡ）を起動して、このアプリケーションＡにより、当該入力操作キー１４に割り当てられる文字「あかさたな」を表示部２１の領域２１１に表示（入力）させ、当該入力操作キー１４に割り当てられる数字「１２３４５」を表示部２１の領域２１３に表示（入力）させる（画面Ｄ１３）。更に、機能制限部４５２は、領域２１１に入力された文字「あかさたな」の変換候補「あかさたな」及び「アカサタナ」を表示部２１の領域２１３に表示させる（画面Ｄ１３）。
【００８４】
なお、機能制限部４５２は、画面Ｄ１１が表示された状態において、入力操作キー１４の操作により文字「あかさたな」が入力されると、入力操作キー１４に割り当てられる文字「あかさたな」のみを入力させて表示部２１の領域２１１に表示させてもよい。
【００８５】
すなわち、待ち受け画面が表示されている画面Ｄ１１において、機能制限部４５２は、操作部１１（例えば、入力操作キー１４）により暗証情報が入力されてはじめて当該機能設定操作キー１３に割り当てられる機能の利用を可能とする（画面Ｄ１２）。一方、画面Ｄ１１において、機能制限部４５２は、入力操作キー１４が操作された場合に、操作部１１により暗証情報を入力することなく、入力操作キー１４に割り当てられる文字及び数字を入力して、表示部２１に表示させる（画面Ｄ１３）。
【００８６】
画面Ｄ１３において、機能制限部４５２は、決定操作キー１５が操作（押下）されると、数字「１２３４５」が表示されていた領域２１２の表示を解除して、領域２１１及び２１３のみを表示部２１に表示させる（画面Ｄ１４）。
【００８７】
画面Ｄ１４において、機能制限部４５２は、更に決定操作キー１５が操作（押下）されると、領域２１１に表示されている文字の入力を確定すると共に、領域２１１に表示されている文字を利用可能な機能（アプリケーション）に関する情報の一覧を表示部２１に表示させる（画面Ｄ１５）。
【００８８】
画面Ｄ１５において、機能制限部４５２は、設定部４５１により制限が設定された機能（例えば、インターネット検索、アドレス帳等）が選択された場合には、暗証情報を要求する画面を表示部２１に表示して、設定部４５１により制限が設定された機能の利用を制限する（画面Ｄ１６）。そして、機能制限部４５２は、操作部１１により正しい暗証情報が入力されると、設定部４５１により制限が設定された機能を起動する（画面Ｄ１７）。
【００８９】
一方、画面Ｄ１５において、機能制限部４５２は、設定部４５１により制限が設定されていない機能（例えば、辞書検索、メモ帳等）が選択された場合には、暗証情報を要求する画面を表示せずに、機能を起動する（画面Ｄ１７）。
【００９０】
また、設定部４５１は、機能設定操作キー１３に割り当てられる機能（アプリケーション）の利用の制限が解除されて、利用が可能となった後に、表示部２１に待ち受け画面が表示されると（画面Ｄ１１）、当該機能（アプリケーション）の利用の制限を再度設定する。
【００９１】
このように第２実施形態の携帯電話機１によれば、機能制限部４５２は、機能設定操作キー１３が操作された場合に、当該機能設定操作キー１３に割り当てられる機能の利用を制限し、入力操作キー１４が操作された場合に、当該入力操作キー１４に割り当てられる文字を入力し、表示部２１に表示させる。このため、携帯電話機１は、機能設定操作キー１３に割り当てられる機能のセキュリティのレベルが高い場合には、当該機能の利用を制限することにより、携帯電話機１のセキュリティを維持することができる。一方、携帯電話機１は、入力操作キー１４に割り当てられる文字を入力し、表示部２１に表示させることにより、入力された文字を用いてセキュリティレベルの低い機能を実行することが可能となる。したがって、携帯電話機１は、セキュリティ機能を維持しつつ、携帯電話機１の操作性を向上させることができる。
【００９２】
また、機能制限部４５２は、機能設定操作キー１３が操作された場合に、操作部１１により暗証情報が入力されてはじめて当該機能設定操作キー１３に割り当てられる機能の利用を可能とし、入力操作キー１４が操作された場合に、操作部１１により暗証情報を入力することなく入力操作キー１４に割り当てられる文字を入力して、表示部２１に表示させる。これにより、携帯電話機１は、セキュリティレベルの低い機能を実行する際に、暗証情報を入力することがないため、携帯電話機１の操作性をより向上させることができる。
【００９３】
また、機能制限部４５２は、表示部２１に待ち受け画面が表示された状態において、機能設定操作キー１３が操作されると、当該機能設定操作キー１３に割り当てられる機能を利用させ、入力操作キー１４が操作されると、当該入力操作キー１４に割り当てられる文字を入力して、表示部２１に表示させる。これにより、携帯電話機１は、待ち受け画面からセキュリティレベルの低い機能（アプリケーション）を実行する際に、暗証情報を入力することがないため、セキュリティレベルの低い機能をすばやく起動させることができ、携帯電話機１の操作性をより向上させることができる。
【００９４】
また、設定部４５１は、機能設定操作キー１３に割り当てられる機能（アプリケーション）の利用の制限が解除されて、利用が可能となった後に、表示部２１に待ち受け画面が表示されると、当該機能の利用の制限を再度設定する。これにより、携帯電話機１は、機能設定操作キー１３に割り当てられる機能の利用後に、待ち受け画面が表示される度に自動的に機能の利用の制限を設定できるため、携帯電話機１の操作性をより向上させることができる。
【００９５】
また、機能制限部４５２は、設定部４５１により制限が設定されている場合には、機能設定操作キー１３が操作された場合に、当該機能設定操作キー１３に割り当てられる機能の利用を制限し、入力操作キー１４が操作された場合に、当該入力操作キー１４に割り当てられる文字を入力し、前記表示部に表示させる。一方、機能制限部４５２は、設定部４５１により制限が設定されていない場合には、機能設定操作キー１３が操作されると、当該機能設定操作キー１３に割り当てられる機能を利用させ、入力操作キー１４が操作されると、当該機能設定操作キー１３に割り当てられる文字を入力して、表示部２１に表示させる。これにより、携帯電話機１は、設定部４５１により制限が設定されている場合にのみ、機能の利用を制限するため、携帯電話機１の操作性をより向上させることができる。
【００９６】
図８は、第２実施形態に係る携帯電話機１により機能の制限を行う処理について示すフローチャートである。
ステップＳ２１において、設定部４５１は、機能設定操作キー１３に割り当てられる複数の機能の制限を設定する。
【００９７】
ステップＳ２２において、機能制限部４５２は、表示部２１に待ち受け画面が表示された状態において、操作部１１による操作を受け付ける。
ステップＳ２３において、機能制限部４５２は、入力操作キー１４が操作されたか否かを判定する。入力操作キー１４が操作された場合（ＹＥＳ）には、ステップＳ２７へ進む。入力操作キー１４以外が操作された、すなわち機能設定操作キー１３や決定操作キー１５等が操作された場合（ＮＯ）には、ステップＳ２４へ進む。
【００９８】
ステップＳ２４において、機能制限部４５２は、暗証情報を要求する画面を表示部２１に表示して、当該機能設定操作キー１３に割り当てられる機能の利用を制限する。
【００９９】
ステップＳ２５において、機能制限部４５２は、操作部１１により正しい暗証情報が入力されたか否かを判定する。正しい暗証情報が入力された場合（ＹＥＳ）には、ステップＳ２６へ進む。正しい暗証情報が入力されなかった場合（ＮＯ）には、ステップＳ２４へ戻る。
【０１００】
ステップＳ２６において、機能制限部４５２は、機能設定操作キー１３に割り当てられた機能の制限を解除する、すなわち、待ち受け画面における機能設定操作キー１３の操作の制限（操作ロック）を解除して、機能設定操作キー１３に割り当てられた機能の利用を可能な状態とする。
【０１０１】
ステップＳ２７において、機能制限部４５２は、上述した文字及び数字を編集するアプリケーション（アプリケーションＡ）を起動して、入力操作キー１４に割り当てられる文字を領域２１１に表示させ、入力操作キー１４に割り当てられる数字を領域２１３に表示させる。更に、機能制限部４５２は、領域２１１に入力された文字の変換候補を領域２１３に表示させる。
【０１０２】
ステップＳ２８において、機能制限部４５２は、決定操作キー１５が操作されると、アプリケーションＡにより、領域２１２の表示を解除して、領域２１１及び領域２１３のみを表示部２１に表示させる。
ステップＳ２９において、機能制限部４５２は、更に決定操作キー１５が操作されると、アプリケーションＡにより、領域２１１に表示されている文字の入力を確定すると共に、領域２１１に表示されている文字と関連する機能に関する情報の一覧を表示部２１に表示させる。
【０１０３】
ステップＳ３０において、機能制限部４５２は、一覧が表示された機能のうち、設定部４５１により制限が設定された機能が選択されたか否かを判定する。制限が設定された機能が選択された場合（ＹＥＳ）には、ステップＳ３１へ進む。制限が設定された機能が選択されなかった場合（ＮＯ）には、ステップＳ３３へ進む。
【０１０４】
ステップＳ３１において、機能制限部４５２は、暗証情報を要求する画面を表示部２１に表示して、設定部４５１により制限が設定された機能の利用を制限する。
ステップＳ３２において、機能制限部４５２は、操作部１１により正しい暗証情報が入力されたか否かを判定する。正しい暗証情報が入力された場合（ＹＥＳ）には、ステップＳ３３へ進む。正しい暗証情報が入力されなかった場合（ＮＯ）には、ステップＳ３１へ戻る。
【０１０５】
ステップＳ３３において、機能制限部４５２は、選択された機能を起動する。このように第２実施形態に係る携帯電話機１も第１実施形態と同様に、セキュリティ機能を維持しつつ、携帯電話機１の操作性を向上させることができる。
【０１０６】
以上、本発明の実施形態について説明したが、本発明は上述した実施形態に制限されるものではなく、適宜変更が可能である。
【０１０７】
また、上述した実施形態において、携帯電子機器としての携帯電話機１について説明したが、これに限定されず、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【０１０８】
１  携帯電話機（携帯電子機器）
１１  操作部
１３  機能設定キー（第１のキー）
１５  入力操作キー（第２のキー）
２１  表示部
４５  制御部
４５１  設定部
４５２  機能制限部
【図１】
2012109724.tif 000003
【図２】
2012109724.tif 000004
【図３】
2012109724.tif 000005
【図４】
2012109724.tif 000006
【図５】
2012109724.tif 000007
【図６】
2012109724.tif 000008
【図７】
2012109724.tif 000009
【図８】
2012109724.tif 000010